(57)【要約】【課題】灯籠の窓の寸法精度が低くても障子を安定させ、脱落を防止することができる障子脱落防止具を提供する。【解決手段】障子脱落防止具１０は、中心部材２２、その中心部材２２に取り付けられた弾性部材２４、および障子２０に設けられた係止部２６を備える。中心部材２２は板材の中央に開口２８を有し、環状になっている。複数の弾性部材２４が中心部材２２に取り付けられる。係止部２６に弾性部材２４の他端３８が引っかけられる。各障子２０が火袋１４の中心に向かって引っ張られることによって、障子２０の脱落を防止できる。【選択図】図１
2016207321.tif 000002
【特許請求の範囲】
【請求項１】
灯籠の障子に取り付けられる障子脱落防止具であって、
前記障子に取り付けられた係止部と、
前記係止部を灯篭の火袋の内方に引っ張る弾性部材と、
を備えた障子脱落防止具。
【請求項２】
前記灯篭の火袋内に配置され、弾性部材が取り付けられる中心部材を備えた請求項１の障子脱落防止具。
【請求項３】
前記中心部材が、
前記中心部材に弾性部材を取り付けるための第１取り付け部と、
前記中心部材に弾性部材を取り付けるための第２取り付け部と、
を備え、
前記中心部材の中心から第１取り付け部までの距離と第２取り付け部までの距離が異なる請求項２の障子脱落防止具。
【請求項４】
前記第１取り付け部と第２取り付け部がそれぞれ弾性部材の数と同数であり、前記中心部材の外周に沿って一周すると、中心部材の外周から一定距離内方において、第１取り付け部と第２取り付け部が交互かつ等間隔に配置されている請求項３の障子脱落防止具。
【請求項５】
前記中心部材の形状が環状である請求項２から４のいずれかの障子脱落防止具。
【発明の詳細な説明】
【技術分野】
【０００１】
本発明は、主に灯籠の障子が脱落するのを防止する障子脱落防止具に関するものである。
【背景技術】
【０００２】
神社などに石材で作った灯籠１２が設置されている。図１４のように灯籠１２の火袋１４に窓１６を設け、窓枠１８には木製の枠を備えた障子２０が嵌め入れられている。図１５のように、奥に行くほど幅が狭くなるようにテーパー状２０ｔにした障子２０も有る。障子２０は窓枠１８に嵌め入れられるだけであり、固定する手段が無い。特に古い灯籠１２ほど窓枠１８の寸法精度が低く、窓枠１８に凹凸も多いため、風によって障子２０が脱落しやすくなっている。
【０００３】
障子２０の脱落を防止する方策が、下記の特許文献に開示されている。特許文献１は障子２０の枠の四隅にゴムバンドを取り付けている。ゴムバンドによって障子２０のがたつきを防止し、障子２０の脱落を防止している。
【０００４】
しかし、上記のように灯籠１２の窓枠１８の寸法精度は高くなく、障子２０を安定させることが難しい。障子２０の枠がテーパー状２０ｔになっている場合、特許文献１を適用することができない。
【０００５】
特許文献２は、灯籠１２の窓枠１８に鉄を取り付け、障子２０の枠に磁石を取り付けている。磁石の吸引力によって障子２０の脱落を防止している。
【０００６】
しかし、上記のように灯籠１２の窓枠１８の寸法精度が高くないため、鉄を所望の位置に取り付けられるとは限られない。特許文献１と同様に障子２０が安定せず、脱落しやすいことには変わりない。
【先行技術文献】
【特許文献】
【０００７】
【特許文献１】特開２００１−２５６８０３号公報
【特許文献２】特開２００３−２６３９０１号公報
【発明の概要】
【発明が解決しようとする課題】
【０００８】
本発明の目的は、灯籠の窓枠の寸法精度が低くても障子を安定させ、脱落を防止することができる障子脱落防止具を提供することにある。
【課題を解決するための手段】
【０００９】
本発明の障子脱落防止具は、灯籠の障子に取り付けられる。障子脱落防止具は、障子に取り付けられた係止部と、係止部を直接または間接的に灯篭の火袋の内方に引っ張る弾性部材とを備える。弾性部材の弾性力によって係止部を取り付けた障子を火袋の内方に引っ張る。
【００１０】
火袋の内方に中心部材が配置され、中心部材に弾性部材を取り付けるための第１取り付け部と、中心部材に弾性部材を取り付けるための第２取り付け部とを備える。中心部材の中心から第１取り付け部までの距離と第２取り付け部までの距離が異なる。第１取り付け部に弾性部材を取り付けた場合と第２取り付け部に弾性部材を取り付けた場合とで、中心部材の中心から係止部までの距離が異なる。
【００１１】
第１取り付け部と第２取り付け部がそれぞれ弾性部材の数と同数である。中心部材の外周に沿って一周すると、中心部材の外周から一定距離内方において、第１取り付け部と第２取り付け部が交互かつ等間隔に配置されている。第１取り付け部を使用する場合と第２取り付け部を使用する場合の２種類の使用方法が有る。
【００１２】
中心部材の形状が環状である。環状を形成するための開口が中心部材に形成されている。
【発明の効果】
【００１３】
本発明によると、障子が中心部材の方向に引っ張られることで、障子が灯籠から脱落せず、障子を安定させることができる。２種類の取り付け部を設けることで、異なる大きさの灯籠に障子脱落防止具を使用することができる。中心部材の外周から一定距離内方に全ての取り付け部を設けることで、異種の取り付け部であっても同じ弾性部材を使用することができる。中心部材を環状にすることで、環状になった内方をろうそくの炎や炎によって熱せられた気流が通過し、中心部材などの破損を防止できる。
【図面の簡単な説明】
【００１４】
【図１】本発明の障子脱落防止具の上面図である。
【図２】本発明の障子脱落防止具の断面図である。
【図３】中心部材の上面図である。
【図４】多角形の中心部材を示す上面図である。
【図５】円形の中心部材を示す上面図であり、（ａ）は取り付け部が全て外周から一定距離にあり、（ｂ）は取り付け部が２種類であり、外周からの距離が異なる。
【図６】取り付け部を窪みにした中心部材の上面図であり、（ａ）は弾性部材を引っかける部分のみを窪みにしており、（ｂ）は中心部材の内周を波打たせている。
【図７】小穴の取り付け部の無い中心部材の上面図であり、（ａ）は円形の中心部材であり、（ｂ）は柔軟材質の中心部材である。
【図８】火袋の上部に障子脱落防止具を配置した断面図である。
【図９】弾性部材の数を１つにして障子脱落防止具の上面図である。
【図１０】中心部材と係止部の間に弾性部材以外の部材を備えた図である。
【図１１】弾性部材を環状に構成した図である。
【図１２】弾性部材を直接接続した図である。
【図１３】中心部材に光源の載置部を設けた図である。
【図１４】（ａ）は灯籠の外観を示す図であり、（ｂ）は（ａ）のＡ−Ａ線断面図である。
【図１５】テーパー状の障子を示す図である。
【発明を実施するための形態】
【００１５】
本発明の障子脱落防止具について図面を使用して説明する。
【００１６】
［実施形態１］
図１および図２に示す障子脱落防止具１０は、灯籠１２に使用される。灯籠１２は火袋１４に窓１６が有り、窓１６を形成する窓枠１８の内方に障子２０が嵌め入れられている。窓枠１８には外方が広く内方が狭くなる段差１９が有り、障子２０が火袋１４の中に入り込まないようになっている。本願を使用するのは石材の灯籠１２に限定されない。
【００１７】
障子脱落防止具１０は、中心部材２２、その中心部材２２に取り付けられた弾性部材２４、および障子２０に設けられた係止部２６を備える。
【００１８】
図３に示すように、中心部材２２は板材の中央に開口２８を有し、環状になっている。中心部材２２の材料は限定されず、金属、樹脂および木材が挙げられる。中心部材２２の外形は正方形の板材の角をカットしているが、他の形状であっても良い。開口２８の形状は円形に限定されず、方形であっても良い。
【００１９】
図２に示すように、開口２８を通過し、かつ重力方向に一致する線Ｙの上に光源３０が配置される。光源３０がろうそくであれば、炎３２または炎３２によって生じる上昇気流が開口２８を通過する。中心部材２２が直接熱せられず、熱による破損を低減できる。
【００２０】
複数の弾性部材２４が中心部材２２に取り付けられる。弾性部材２４の数は障子２０の数と同数である。１つの弾性部材２４で１枚の障子２０を中心部材２２の方向に引っ張ることで障子２０を安定させる。１基の灯籠１２に備えられる障子２０の数は偶数であることが多く、弾性部材２４の数も偶数になることが多い。
【００２１】
図１に示すように、中心部材２２に弾性部材２４の取り付け部３４ａ、３４ｂが設けられる。取り付け部３４ａ、３４ｂは中心部材２２に形成した小穴である。取り付け部３４ａ、３４ｂに弾性部材２４を引っかけることで、弾性部材２４を中心部材２２に取り付ける。なお、中心部材２２と弾性部材２４の取り付け方法は、引っかけることに限定されない。中心部材２２に弾性部材２４の一端を固定したり、中心部材２２と弾性部材２４を一体的に製造しても良い。
【００２２】
取り付け部３４ａ、３４ｂは第１取り付け部３４ａと第２取り付け部３４ｂを有し、それぞれ弾性部材２４の数と同数である。弾性部材２４は第１取り付け部３４ａまたは第２取り付け部３４ｂのいずれかに取り付けられる。たとえば、弾性部材２４が第１取り付け部３４ａに取り付けられれば、第２取り付け部３４ｂは使用しない。
【００２３】
中心部材２２を外周に沿って一周すると、中心部材２２の外周から一定距離内方において、第１取り付け部３４ａと第２取り付け部３４ｂが交互に配置されている。第１取り付け部３４ａと第２取り付け部３４ｂは一定間隔になっている。
【００２４】
中心部材２２の中心、すなわち開口２８の中心Ｏから第１距離ｄ１に第１取り付け部３４ａが配置され、第２距離ｄ２に第２取り付け部３４ｂが配置される（図３）。第１距離ｄ１と第２距離ｄ２は異なっており、第１距離ｄ１が第２距離ｄ２よりも長い。第１取り付け部３４ａを使用する場合と第２取り付け部３４ｂを使用する場合があり、異なる大きさの灯籠１２に障子脱落防止具１０を使用することができる。
【００２５】
弾性部材２４としてコイルバネやゴムなどが挙げられる。本実施形態では弾性部材２４としてコイルバネを使用して説明する。弾性部材２４の一端３６と他端３８は半円形のフックになっており、一端３６と他端３８は小穴などに引っかけることができる。なお、コイルバネ以外の弾性部材２４であっても、一端３６と他端３８に小穴などに引っかけるフックを取り付けたりする。
【００２６】
全ての弾性部材２４は同一の物を使用することが好ましい。中心部材２２が火袋１４の中央に配置され、光源３０を火袋１４の中央に置くことができる。第１取り付け部３４ａと第２取り付け部３４ｂは中心部材２２の外周から一定距離に形成されているため、いずれの取り付け部３４ａ、３４ｂを使用する場合であっても、弾性部材２４の一端３６の形状を変える必要が無い。
【００２７】
係止部２６は障子２０に取り付けられたＵ字状の線状体である。係止部２６に弾性部材２４の他端３８が引っかけられる。本実施形態では、係止部２６は障子２０の中央かつ桟に取り付けられる。弾性部材２４が係止部２６を火袋１４の内方に引っ張ることで、障子２０に対して火袋１４の内方に向かう力がかかる。窓枠１８の段差１９に障子２０が引っかかり、安定する。
【００２８】
なお、係止部２６の形状はＵ字状に限定されず、弾性部材２４の他端３８が引っかけられるのであれば、Ｊ字状など任意の形状にすることができる。
【００２９】
本実施形態の障子脱落防止具１０の使用方法を説明する。火袋１４の断面は正方形であり、各面に窓１６を備えるとする。（１）少なくとも１枚の障子を窓枠１８に嵌め入れていない状態にする。すなわち、作業者が火袋１４の中に手を入れて作業をおこなえる状態にする。
【００３０】
（２）火袋１４の中で弾性部材２４の他端３８を３枚の障子２０の係止部２６に引っかける。３枚の障子２０が窓枠１８に嵌め入れられる。中心部材２２が空中に浮くため、この時点でろうそくなどの光源３０を火袋１４の底面中央に載置することができる。
【００３１】
（３）係止部２６に引っかけていない弾性部材２４を火袋１４の外に引っ張り、引っ張った弾性部材２４を残りの障子２０の係止部２６に引っかけ、窓枠１８に障子２０を嵌め入れる。最後の障子２０が嵌め入れられることで、障子脱落防止具１０が全ての障子２０に取り付けられたことになる。
【００３２】
障子脱落防止具１０を取り外す場合は、（ａ）いずれかの障子２０を窓枠１８から引っ張り出して、係止部２６から弾性部材２４を取り外し、（ｂ）その後、残りの弾性部材２４も係止部２６から取り外す。光源３０の取り換えだけであれば、上記（ａ）のみをおこなった状態で光源３０を取り替えることも可能である。
【００３３】
以上のように、各障子２０が火袋１４の中心に向かって引っ張られることによって、障子２０の脱落を防止できる。中心部材２２が開口２８を備えることで、中心部材２２に光源３０の熱が伝わりにくく、熱による破損を低減できる。中心部材２２に複数種の取り付け部３４ａ、３４ｂを設けることで、大きさの異なる灯籠１２に使用することができる。本願は新しく製造する灯籠１２でなくても、すでに設置されている古い灯籠１２にも適用できる。
【００３４】
［実施形態２］
中心部材２２の形状は限定されない。たとえば、火袋１４の形状が６角形であれば、図４のように６角形の角をカットした板材を中心部材４０にしても良い。カットした付近に第１取り付け部３４ａを設け、第１取り付け部３４ａ同士の間に第２取り付け部３４ｂを設ける。
【００３５】
図５（ａ）のように、外形を円形にした中心部材４２であっても良い。外周から一定距離に全ての取り付け部３４が配置されている。上記のような第１取り付け部３４ａと第２取り付け部３４ｂの区別が無い。
【００３６】
図５（ｂ）の中心部材４４のように、外形が円形であっても、第１取り付け部３４ａと第２取り付け部３４ｂを設けることができる。中心部材４４の外周から異なる距離に、第１取り付け部３４ａと第２取り付け部３４ｂを設けることで，中心部材４４の中心Ｏからの距離ｄ３、ｄ４を異ならせることができる。
【００３７】
［実施形態３］
取り付け部３４ａ、３４ｂの形状は小穴に限定されない。図６（ａ）の中心部材５０のように、内周５２に窪み５４を設けて、その窪み５４を取り付け部として使用しも良い。窪み５４の中に弾性部材２４の一端３６（図２）を引っかけることで、中心部材５０に弾性部材２４を引っかける。窪み５４の形状は限定されず、図６（ｂ）の中心部材５６ように、内周５２を波打たすことで窪み５４を設けても良い。
【００３８】
［実施形態４］
図６（ａ）のように、弾性部材２４の一端３６が中心部材６０に巻きつけるように直接引っかけても良い。弾性部材２４を中心部材６０に引っかけやすくするために、線状の中心部材６０にすることも可能である。上記の実施形態で示した中心部材６０ように小穴の取り付け部３４ａ、３４ｂは設けていない。
【００３９】
図６（ｂ）の中心部材６２ように軟質材料で構成しても良い。軟質材料であるため、弾性部材２４が中心部材６２を引っ張って、中心部材６２がｎ角形（ｎは弾性部材２４の数）になる。
【００４０】
［実施形態５］
障子２０は障子紙の代わりにアクリル系樹脂などの樹脂板であっても良い。樹脂板に係止部２６を取り付ける。係止部２６の位置が限定されず、任意の位置に係止部２６を取り付けることができる。
【００４１】
［実施形態６］
係止部２６の位置は障子２０の中央に限定されない。たとえば、図８のように障子２０の上部に係止部２６を取り付けることで、障子脱落防止具１０が火袋１４の上部に配置される。光源３０の光による障子脱落防止具１０の影が障子紙に映らなくしたり、映ったとしても影の量を少なくすることができる。障子紙に映る不要な影を無くしたり、少なくしたりすることで、灯籠１２の美観を保つことができる。
【００４２】
光源３０と中心部材２２の距離が離れることになるため、炎３２の影響が小さくなる場合がある。中心部材２２の開口２８を省略することも可能になる。
【００４３】
また、１枚の障子２０に取り付ける係止部２６の数を複数にして、複数の障子脱落防止具１０を取り付けることも可能である。
【００４４】
［実施形態７］
弾性部材２４の数を障子２０の数と同数にすることに限定されない。弾性部材２４の数は少なくとも１つであれば良い。図９の障子脱落防止具８０ように、中心部材２２には弾性部材２４と線状体８２を取り付ける。線状体８２は紐などである。線状体８２の一端８４と他端８６は、弾性部材２４と同様に、中心部材２２と係止部２６に引っかけられるように半円形のフックになっている。
【００４５】
線状体８２の長さは、実施形態１で全ての弾性部材２４を係止部２６に取り付けたときの長さと同じ長さにする。中心部材２２を中心として弾性部材２４と線状体８２が対向して配置されており、障子２０が火袋１４の内方に向けて引っ張られる。
【００４６】
［実施形態８］
図１０のように中心部材２２と係止部２６の間に弾性部材２４以外の部材を備えても良い。本願では中心部材２２と係止部２６との間に弾性力が生じ、障子２０を中心部材２２に向けて引っ張ればよい。図１０は弾性部材２４以外に線状体９０を備えている。中心部材２２と弾性部材２４の間、弾性部材２４と係止部２６の間、またはその両方において、任意の部材が備えられ、弾性部材２４が間接的に中心部材２２、係止部２６またはその両方に取り付けられる。
【００４７】
［実施形態９］
図１１のように中心部材２２を省略した障子脱落防止具９２であっても良い。弾性部材２４をつなぎ合わせることで環状にしている。環状になった弾性部材２４と係止部２６との間は線状体９４などを取り付ける。上記実施形態で中心部材２２の配置された位置に弾性部材２４が配置される。
【００４８】
中心部材２２を弾性材料で構成することで図１１と同様の効果を奏することになる。中心部材２２と弾性部材２４が一体となった構成であり、中心部材２２を弾性部材２４とみなすこともできる。
【００４９】
図１２の障子脱落防止具９６のように、弾性部材２４同士を固定することも可能である。上記実施形態で説明した中心部材２２が省略されている。
【００５０】
［実施形態１０］
光源３０を発光ダイオードや電球などの電気製品に変更しても良い。障子脱落防止具１０の材料が金属であれば、電気製品に電力を供給する配線の一部に障子脱落防止具１０を利用しても良い。配線数を少なくして、電気製品に電力を供給できる。
【００５１】
電源として、灯籠１２の外部の任意の位置に太陽電池を取り付けても良い。太陽電池で発電した電力を電源として、上記電気製品に電力を供給する。
【００５２】
また、光が照射されたときに太陽電池で発電されるが、光源を光らせるのは夜である。したがって、太陽電池で発電された電力を電気二重層コンデンサなどの蓄電手段に蓄電し、太陽電池で発電されなくなったときに、蓄電した電力を光源３０に印加するようにしても良い。光センサを使用しなくても光源３０を発光させる時がわかりに、夜間に光源３０を発光させることができる。
【００５３】
また、光センサを灯籠１２の外部に取り付け、受光状態によって光源３０のオンとオフを切り替える回路を備えても良い。受光量が所定値よりも小さければ光源３０をオンにする。
【００５４】
［実施形態１１］
図１３の中心部材１００を他の実施形態で使用しても良い。中心部材１００は、開口２８の下方に光源３０の載置部１０２を設けている。光源３０としてろうそくを使用する場合、載置部１００にろうそくの下部を突き刺す。載置部１００の形状は任意であり、光源３０として発光ダイオードや電球などの電気製品を利用した場合に、その電気製品を載置できるようにしても良い。
【００５５】
その他、本発明は、その主旨を逸脱しない範囲で当業者の知識に基づき種々の改良、修正、変更を加えた態様で実施できるものである。各実施形態は独立的または排他的なものではなく、適宜組み合わせて実施しても良い。
【符号の説明】
【００５６】
１０、８０、９２、９６：障子脱落防止具
１２：灯籠
１４：火袋
１６：窓
１８：窓枠
１９：窓枠の段差
２０：障子
２２、４０、４２、４４、５０、５６、６０、６２、１００：中心部材
２４：弾性部材
２６：係止部
２８：中心部材の開口
３０：光源
３２：ろうそくの炎
３４、３４ａ、３４ｂ：取り付け部
３６：弾性部材の一端
３８：弾性部材の他端
５２：中心部材の内周
５４：窪み
８２：線状体
９０：線状体
９４：線状体
１０２：光源の載置部
【図１】
2016207321.tif 000003
【図２】
2016207321.tif 000004
【図３】
2016207321.tif 000005
【図４】
2016207321.tif 000006
【図５】
2016207321.tif 000007
【図６】
2016207321.tif 000008
【図７】
2016207321.tif 000009
【図８】
2016207321.tif 000010
【図９】
2016207321.tif 000011
【図１０】
2016207321.tif 000012
【図１１】
2016207321.tif 000013
【図１２】
2016207321.tif 000014
【図１３】
2016207321.tif 000015
【図１４】
2016207321.tif 000016
【図１５】
2016207321.tif 000017